【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
提示されるオリジナルのオーディオ又はビデオデータの不正記録やコピーなどの不正利用に対し、透かしによりプロテクトする方法であって、
前記方法は、
送信サイトにおいて、
前記オリジナルのオーディオ又はビデオデータの連続するブロック又はフレームの少なくとも２つの異なる透かし前処理されたバージョンを、前記オリジナルのオーディオ又はビデオデータから発生し、前記バージョンは、一バージョンに繰り返された透かしシンボル値を適用し、異なるバージョンに異なる透かしシンボル値を適用することにより求められ、対応する暗号鍵を用いて前記バージョンを暗号化し、加えて、前記異なる透かし前処理されたバージョンの各ブロック又はフレームは、対応する鍵シーケンスを用いて個別に暗号化される、ステップと、
前記透かし前処理され暗号化されたバージョンと前記暗号鍵と前記鍵シーケンスとを、例えば１つ以上のデータファイルとして、１つ以上のレシーバ又はレシーバ装置に転送するステップと、
受信サイトにおいて、
前記暗号鍵を用いて前記透かし前処理され暗号化されたオーディオ又はビデオデータのバージョンを復号し、個別に前記鍵シーケンスを用いて前記ブロック又はフレームを復号し、所望の透かし情報ワードの値に応じて、前記復号された透かし前処理されたバージョンから、対応するフレーム又はブロックを連続してアセンブルし、前記透かし情報ワードを担う前記オリジナルのオーディオ又はビデオデータの透かしを入れたバージョンを求めるステップと、
前記オリジナルのオーディオ又はビデオデータの復号された透かしを入れたバージョンを提供するステップと
を有する方法。
【請求項２】
前記送信サイトと受信サイトは、ＤＣＩ仕様に基づきデジタルシネマシステムを表す、
請求項１に記載の方法。
【請求項３】
前記透かし情報ワードは、デジタル映画館のＩＤと可変のタイムスタンプとを表す、
請求項２に記載の方法。
【請求項４】
前記透かしはアダプティブスプレッド位相変調を用いる、
請求項１ないし３いずれか一項に記載の方法。
【請求項５】
前記透かし前処理されたバージョンの１つのブロック又はフレームは、シンクデータを表す透かしシンボルで透かし前処理され、前記シンクデータは、受信サイトにおいて、前記透かし情報ワードを担う前記オリジナルのオーディオ又はビデオデータの透かしを入れたバージョンに挿入される、
請求項１ないし４いずれか一項に記載の方法。
【請求項６】
各場合にシンクデータを表す前記挿入された透かしシンボルは、異なる３つの連続した透かしシンボルを構成する、
請求項４または５に記載の方法。
【請求項７】
前記透かし情報ワードは固定部と可変部とを有し、透かし前処理されたブロック又はフレームの異なるバージョンは、前記可変部に対してのみ用いられる、
請求項１ないし６いずれか一項に記載の方法。
【請求項８】
前記可変部は前記タイムスタンプを表す、
請求項３ないし７いずれか一項に記載の方法。
【請求項９】
前記オリジナルのオーディオ又はビデオデータの連続したブロック又はフレームの少なくとも２つの異なる透かし前処理されたバージョンの一方は、ベースバージョンを表し、他のバージョンの連続したブロック又はフレームは、対応するバージョンと前記ベースバージョンとの間の透かし差分信号を表す、
請求項１ないし８いずれか一項に記載の方法。
【請求項１０】
提示されるオリジナルのオーディオ又はビデオデータの不正記録やコピーなどの不正利用に対し、透かしによりプロテクトする送信システムであって、
前記送信システムは、
前記オリジナルのオーディオ又はビデオデータの連続するブロック又はフレームの少なくとも２つの異なる透かし前処理されたバージョンを、前記オリジナルのオーディオ又はビデオデータから発生するように構成された手段であって、前記バージョンは、一バージョンに繰り返された透かしシンボル値を適用し、異なるバージョンに異なる透かしシンボル値を適用し、対応する暗号鍵を用いて前記バージョンを暗号化することにより求められ、加えて、前記異なる透かし前処理されたバージョンの各ブロック又はフレームは、対応する鍵シーケンスを用いて個別に暗号化される、手段と、
前記透かし前処理され暗号化されたバージョンと前記暗号鍵と前記鍵シーケンスとを、例えば１つ以上のデータファイルとして、１つ以上のレシーバ又はレシーバ装置に転送し、前記受信サイトにおいて、前記暗号鍵を用いて前記透かし前処理され暗号化されたオーディオ又はビデオデータのバージョンを復号し、個別に前記鍵シーケンスを用いて前記ブロック又はフレームを復号し、所望の透かし情報ワードの値に応じて、前記復号された透かし前処理されたバージョンから、対応するフレーム又はブロックを連続してアセンブルし、前記透かし情報ワードを担う前記オリジナルのオーディオ又はビデオデータの透かしを入れたバージョンを求めるように構成された手段と、
を有する送信システム。
【請求項１１】
前記送信サイトと受信サイトは、ＤＣＩ仕様に基づきデジタルシネマシステムを表す、
請求項１０に記載の送信システム。
【請求項１２】
前記透かし情報ワードは、デジタル映画館のＩＤと可変のタイムスタンプとを表す、
請求項１１に記載の送信システム。
【請求項１３】
前記透かしはアダプティブスプレッド位相変調を用いる、
請求項１０ないし１２いずれか一項に記載の送信システム。
【請求項１４】
前記透かし前処理されたバージョンの１つのブロック又はフレームは、シンクデータを表す透かしシンボルで透かし前処理され、前記シンクデータは、受信サイトにおいて、前記透かし情報ワードを担う前記オリジナルのオーディオ又はビデオデータの透かしを入れたバージョンに挿入される、
請求項１０ないし１３いずれか一項に記載の送信システム。
【請求項１５】
各場合にシンクデータを表す前記挿入された透かしシンボルは、異なる３つの連続した透かしシンボルを構成する、
請求項１３又は１４に記載の送信システム。
【請求項１６】
前記透かし情報ワードは固定部と可変部とを有し、透かし前処理されたブロック又はフレームの異なるバージョンは、前記可変部に対してのみ用いられる、
請求項１０ないし１５いずれか一項に記載の送信システム。
【請求項１７】
前記可変部は前記タイムスタンプを表す、
請求項１２ないし１６いずれか一項に記載の送信システム。
【請求項１８】
前記オリジナルのオーディオ又はビデオデータの連続したブロック又はフレームの少なくとも２つの異なる透かし前処理されたバージョンの一方は、ベースバージョンを表し、他のバージョンの連続したブロック又はフレームは、対応するバージョンと前記ベースバージョンとの間の透かし差分信号を表す、
請求項１０ないし１７いずれか一項に記載の送信システム。
【請求項１９】
提示されるオリジナルのオーディオ又はビデオデータの不正記録やコピーなどの不正利用に対し、透かしによりプロテクトする受信システムであって、前記受信システムは、前記オリジナルのオーディオ又はビデオデータの連続するブロック又はフレームの少なくとも２つの異なる透かし前処理されたバージョンを受信し又は記憶し、前記バージョンは、一バージョンに繰り返された透かしシンボル値を適用し、異なるバージョンに異なる透かしシンボル値を適用し、対応する暗号鍵を用いて前記バージョンを暗号化することにより求められ、加えて、前記異なる透かし前処理されたバージョンの各ブロック又はフレームは、対応する鍵シーケンスを用いて個別に暗号化され、
前記受信システムは、前記暗号鍵と前記鍵シーケンスとを受信して記憶し、前記受信システムは、
前記暗号鍵を用いて前記透かし前処理され暗号化されたオーディオ又はビデオデータのバージョンを復号し、個別に前記鍵シーケンスを用いて前記ブロック又はフレームを復号し、所望の透かし情報ワードの値に応じて、前記復号された透かし前処理されたバージョンから、対応するフレーム又はブロックを連続してアセンブルし、前記透かし情報ワードを担う前記オリジナルのオーディオ又はビデオデータの透かしを入れたバージョンを求めるように構成された手段と、
前記オリジナルのオーディオ又はビデオデータの復号された透かしを入れたバージョンを提供するように構成された手段と
を有する、受信システム。
【請求項２０】
前記送信サイトと受信サイトは、ＤＣＩ仕様に基づきデジタルシネマシステムを表す、
請求項１９に記載の受信システム。
【請求項２１】
前記透かし情報ワードは、デジタル映画館のＩＤと可変のタイムスタンプとを表す、
請求項２０に記載の受信システム。
【請求項２２】
前記透かしはアダプティブスプレッド位相変調を用いる、
請求項１９ないし２１いずれか一項に記載の受信システム。
【請求項２３】
前記透かし前処理されたバージョンの１つのブロック又はフレームは、シンクデータを表す透かしシンボルで透かし前処理され、前記シンクデータは、受信サイトにおいて、前記透かし情報ワードを担う前記オリジナルのオーディオ又はビデオデータの透かしを入れたバージョンに挿入される、
請求項１９ないし２２いずれか一項に記載の受信システム。
【請求項２４】
各場合にシンクデータを表す前記挿入された透かしシンボルは、異なる３つの連続した透かしシンボルを構成する、
請求項２２または２３に記載の受信システム。
【請求項２５】
前記透かし情報ワードは固定部と可変部とを有し、透かし前処理されたブロック又はフレームの異なるバージョンは、前記可変部に対してのみ用いられる、
請求項１９ないし２４いずれか一項に記載の受信システム。
【請求項２６】
前記可変部は前記タイムスタンプを表す、
請求項２１ないし２５いずれか一項に記載の受信システム。
【請求項２７】
前記オリジナルのオーディオ又はビデオデータの連続したブロック又はフレームの少なくとも２つの異なる透かし前処理されたバージョンの一方は、ベースバージョンを表し、他のバージョンの連続したブロック又はフレームは、対応するバージョンと前記ベースバージョンとの間の透かし差分信号を表す、
請求項１９ないし２６いずれか一項に記載の受信システム。